(57)【特許請求の範囲】
【請求項１】
周期的に輝度が変化する光源を用いて、複数の走査線及び複数の信号線の交差に対応してマトリクス状に配置された複数の電気光学素子のそれぞれがフレーム期間を通じて表示すべき多階調を規定する階調データに従って、各サブフィールド期間が前記各電気光学素子を駆動する単位時間であって前記フレーム期間を構成する複数のサブフィールド期間のうち前記階調データに対応するサブフィールド期間の間前記各電気光学素子を駆動することによる、前記光源からの光の進行の制御により、前記各電気光学素子に前記階調を表示させる電気光学素子の駆動方法であって、
少なくとも二つの群であってそれぞれの群が前記複数の電気光学素子の一部の電気光学素子を含む前記二つの群のうちの一の群について、該一の群に含まれる一の電気光学素子のための前記複数のサブフィールド期間のうち、該一の電気光学素子のための前記階調データに対応するサブフィールド期間を、前記多階調の各階調と該各階調に対応して選択すべきサブフィールド期間の位置との対応関係を規定する第１の規則に従って選択する第１の選択ステップと、
前記少なくとも二つの群のうち前記一の群以外の他の一の群について、該他の一の群に含まれる一の電気光学素子のための複数のサブフィールド期間のうち、該一の電気光学素子のための前記階調データに対応するサブフィールド期間を、前記各階調と該階調に対応して選択すべきサブフィールド期間の位置との関係を規定する第２の規則であって、同一階調について前記第１の規則下で選択されるサブフィールド期間の位置と該第２の規則下で選択されるサブフィールド期間の位置との対応関係を、前記光源の輝度が変化する周期に関連して規定する前記第２の規則に従って選択する第２の選択ステップと、
前記第１の選択ステップにより選択された前記サブフィールド期間の間、前記一の群に含まれる前記一の電気光学素子を駆動する第１の駆動ステップと、
前記第２の選択ステップにより選択された前記サブフィールド期間の間、前記他の一の群に含まれる前記一の電気光学素子を駆動する第２の駆動ステップとを含み、
前記一の群に含まれる前記一の電気光学素子は、一の走査線に沿って設けられた電気光学素子のうちの一つであり、
前記他の一の群に含まれる前記一の電気光学素子は、前記一の走査線に隣接する他の走査線に沿って設けられた電気光学素子のうちの一つである
ことを特徴とする電気光学素子の駆動方法。
【請求項２】
周期的に輝度が変化する光源を用いて、複数の走査線及び複数の信号線の交差に対応してマトリクス状に配置された複数の電気光学素子のそれぞれがフレーム期間を通じて表示すべき多階調を規定する階調データに従って、各サブフィールド期間が前記各電気光学素子を駆動する単位時間であって前記フレーム期間を構成する複数のサブフィールド期間のうち前記階調データに対応するサブフィールド期間の間前記各電気光学素子を駆動することによる、前記光源からの光の進行の制御により、前記各電気光学素子に前記階調を表示させる電気光学素子の駆動方法であって、
少なくとも二つの群であってそれぞれの群が前記複数の電気光学素子の一部の電気光学素子を含む前記二つの群のうちの一の群について、該一の群に含まれる一の電気光学素子のための前記複数のサブフィールド期間のうち、該一の電気光学素子のための前記階調データに対応するサブフィールド期間を、前記多階調の各階調と該各階調に対応して選択すべきサブフィールド期間の位置との対応関係を規定する第１の規則に従って選択する第１の選択ステップと、
前記少なくとも二つの群のうち前記一の群以外の他の一の群について、該他の一の群に含まれる一の電気光学素子のための複数のサブフィールド期間のうち、該一の電気光学素子のための前記階調データに対応するサブフィールド期間を、前記各階調と該階調に対応して選択すべきサブフィールド期間の位置との関係を規定する第２の規則であって、同一階調について前記第１の規則下で選択されるサブフィールド期間の位置と該第２の規則下で選択されるサブフィールド期間の位置との対応関係を、前記光源の輝度が変化する周期に関連して規定する前記第２の規則に従って選択する第２の選択ステップと、
前記第１の選択ステップにより選択された前記サブフィールド期間の間、前記一の群に含まれる前記一の電気光学素子を駆動する第１の駆動ステップと、
前記第２の選択ステップにより選択された前記サブフィールド期間の間、前記他の一の群に含まれる前記一の電気光学素子を駆動する第２の駆動ステップとを含み、
前記一の群に含まれる前記一の電気光学素子は、一の信号線に沿って設けられた電気光学素子のうちの一つであり、
前記他の一の群に含まれる前記一の電気光学素子は、前記一の信号線に隣接する他の信号線に沿って設けられた電気光学素子のうちの一つである
ことを特徴とする電気光学素子の駆動方法。
【請求項３】
周期的に輝度が変化する光源を用いて、複数の走査線及び複数の信号線の交差に対応してマトリクス状に配置された複数の電気光学素子のそれぞれがフレーム期間を通じて表示すべき多階調を規定する階調データに従って、各サブフィールド期間が前記各電気光学素子を駆動する単位時間であって前記フレーム期間を構成する複数のサブフィールド期間のうち前記階調データに対応するサブフィールド期間の間前記各電気光学素子を駆動することによる、前記光源からの光の進行の制御により、前記各電気光学素子に前記階調を表示させる電気光学素子の駆動方法であって、
少なくとも二つの群であってそれぞれの群が前記複数の電気光学素子の一部の電気光学素子を含む前記二つの群のうちの一の群について、該一の群に含まれる一の電気光学素子のための前記複数のサブフィールド期間のうち、該一の電気光学素子のための前記階調データに対応するサブフィールド期間を、前記多階調の各階調と該各階調に対応して選択すべきサブフィールド期間の位置との対応関係を規定する第１の規則に従って選択する第１の選択ステップと、
前記少なくとも二つの群のうち前記一の群以外の他の一の群について、該他の一の群に含まれる一の電気光学素子のための複数のサブフィールド期間のうち、該一の電気光学素子のための前記階調データに対応するサブフィールド期間を、前記各階調と該階調に対応して選択すべきサブフィールド期間の位置との関係を規定する第２の規則であって、同一階調について前記第１の規則下で選択されるサブフィールド期間の位置と該第２の規則下で選択されるサブフィールド期間の位置との対応関係を、前記光源の輝度が変化する周期に関連して規定する前記第２の規則に従って選択する第２の選択ステップと、
前記第１の選択ステップにより選択された前記サブフィールド期間の間、前記一の群に含まれる前記一の電気光学素子を駆動する第１の駆動ステップと、
前記第２の選択ステップにより選択された前記サブフィールド期間の間、前記他の一の群に含まれる前記一の電気光学素子を駆動する第２の駆動ステップとを含み、
前記一の群に含まれる前記複数の電気光学素子の各々は、一の走査線に沿って隣接せずに設けられるとともに一の信号線に沿って隣接せずに設けられ、
前記他の一の群に含まれる前記複数の電気光学素子の各々は、一の走査線に沿って隣接せずに設けられるとともに一の信号線に沿って隣接せずに設けられる
ことを特徴とする電気光学素子の駆動方法。
【請求項４】
前記第２の規則が規定する前記対応関係は、前記光源の輝度が変化する周期の四分の一であることを特徴とする請求項１乃至３のいずれか一項に記載の電気光学素子の駆動方法。
【請求項５】
周期的に輝度が変化する光源を用いて、マトリクス状に配置された複数の電気光学素子のそれぞれがフレーム期間を通じて表示すべき多階調を規定する階調データに従って、各サブフィールド期間が前記各電気光学素子を駆動する単位時間であって前記フレーム期間を構成する複数のサブフィールド期間のうち前記階調データに対応するサブフィールド期間の間前記各電気光学素子を駆動することによる、前記光源からの光の進行の制御により、前記各電気光学素子に前記階調を表示させる電気光学素子の駆動装置であって、
少なくとも二つの群であってそれぞれの群が前記複数の電気光学素子の一部の電気光学素子を含む前記二つの群のうちの一の群について、該一の群に含まれる一の電気光学素子のための前記複数のサブフィールド期間のうち、該一の電気光学素子のための前記階調データに対応するサブフィールド期間を、前記多階調の各階調と該各階調に対応して選択すべきサブフィールド期間の位置との対応関係を規定する第１の規則に従って選択する第１の選択部と、
前記少なくとも二つの群のうち前記一の群以外の他の一の群について、該他の一の群に含まれる一の前記電気光学素子のための複数のサブフィールド期間のうち、該一の電気光学素子のための前記階調データに対応するサブフィールド期間を、前記各階調と該階調に対応して選択すべきサブフィールド期間の位置との関係を規定する第２の規則であって、同一階調について前記第１の規則下で選択されるサブフィールド期間の位置と該第２の規則下で選択されるサブフィールド期間の位置との対応関係を、前記光源の輝度が変化する周期に関連して規定する前記第２の規則に従って選択する第２の選択部と、
前記第１の選択部により選択された前記サブフィールド期間の間、前記一の群に含まれる前記一の電気光学素子を駆動する第１の駆動部と、
前記第２の選択部により選択された前記サブフィールド期間の間、前記他の一の群に含まれる前記一の電気光学素子を駆動する第２の駆動部とを含むことを特徴とする電気光学素子の駆動装置。
【請求項６】
請求項５記載の電気光学素子の駆動装置を含むことを特徴とする電子機器。
【発明の詳細な説明】
【０００１】
【発明の属する技術分野】
本発明は、液晶のような電気光学素子を駆動する駆動方法及び駆動装置、並びに前記駆動装置を含む電子機器に関する。
【０００２】
【従来の技術】
携帯電話等の電子機器に用いられる液晶の駆動方法の一つとして知られている従来のサブフィールド駆動方法によれば、マトリクス状に配置された複数の液晶全体を駆動する単位時間である１フレーム期間を構成する複数のサブフィールド期間のうち、各液晶が表示すべき多階調を規定する階調データに対応するサブフィールド期間を選択し、選択された該サブフィールド期間の間前記液晶を駆動することにより、前記各液晶に前記多階調を表示させる。より具体的には、例えば、”０”から”１５”までの１６階調を表示すべく前記フレーム期間が１５個のサブフィールド期間に分割されていることを想定すると、７個のサブフィールド期間の間前記液晶を駆動する、即ちオン状態にすることにより”７”に相当する階調を表示させる。
【０００３】
【発明が解決しようとする課題】
しかしながら、前記した電子機器が、蛍光灯等のような輝度が周期的に変化する光源の下で用いられることがある。該光源の輝度が変化する周期は、前記フレーム期間の周期とが異なることから、例えば、あるフレーム期間では、前記“７”の階調を表示するために駆動するサブフィールド期間での前記光源の輝度が高く、他方で、他のあるフレーム期間では、前記“７”の階調を表示するために駆動するサブフィールド期間での前記光源の輝度が低いということが起こる。これにより、前記高い輝度の下で前記液晶が表示する”７”の階調が”８”の階調に近似して視認され、他方で、前記低い輝度の下で前記液晶が表示する“７”の階調が”６”の階調に近似して視認されるというようなフリッカが生じるという問題があった。
【０００４】
【課題を解決するための手段】
上記した課題を解決するために、本発明に係る電気光学素子の駆動方法は、周期的に輝度が変化する光源を用いて、マトリクス状に配置された複数の電気光学素子のそれぞれがフレーム期間を通じて表示すべき多階調を規定する階調データに従って、各サブフィールド期間が前記各電気光学素子を駆動する単位時間であって前記フレーム期間を構成する複数のサブフィールド期間のうち前記階調データに対応するサブフィールド期間の間前記各電気光学素子を駆動することによる、前記光源からの光の進行の制御により、前記各電気光学素子に前記階調を表示させる電気光学素子の駆動方法であって、少なくとも二つの群であってそれぞれの群が前記複数の電気光学素子の一部の電気光学素子を含む前記二つの群のうちの一の群について、該一の群に含まれる一の電気光学素子のための前記複数のサブフィールド期間のうち、該一の電気光学素子のための前記階調データに対応するサブフィールド期間を、前記多階調の各階調と該各階調に対応して選択すべきサブフィールド期間の位置との対応関係を規定する第１の規則に従って選択する第１の選択ステップと、前記少なくとも二つの群のうち前記一の群以外の他の一の群について、該他の一の群に含まれる一の前記電気光学素子のための複数のサブフィールド期間のうち、該一の電気光学素子のための前記階調データに対応するサブフィールド期間を、前記各階調と該階調に対応して選択すべきサブフィールド期間の位置との関係を規定する第２の規則であって、同一階調について前記第１の規則下で選択されるサブフィールド期間の位置と該第２の規則下で選択されるサブフィールド期間の位置との対応関係を、前記光源の輝度が変化する周期に関連して規定する前記第２の規則に従って選択する第２の選択ステップと、前記第１の選択ステップにより選択された前記サブフィールド期間の間、前記一の群に含まれる前記一の電気光学素子を駆動する第１の駆動ステップと、前記第２の選択ステップにより選択された前記サブフィールド期間の間、前記他の一の群に含まれる前記一の電気光学素子を駆動する第２の駆動ステップとを含むことを特徴とする。
【０００５】
本発明に係る電気光学装置の駆動装置は、周期的に輝度が変化する光源を用いて、マトリクス状に配置された複数の電気光学素子のそれぞれがフレーム期間を通じて表示すべき多階調を規定する階調データに従って、各サブフィールド期間が前記各電気光学素子を駆動する単位時間であって前記フレーム期間を構成する複数のサブフィールド期間のうち前記階調データに対応するサブフィールド期間の間前記各電気光学素子を駆動することによる、前記光源からの光の進行の制御により、前記各電気光学素子に前記階調を表示させる電気光学素子の駆動装置であって、少なくとも二つの群であってそれぞれの群が前記複数の電気光学素子の一部の電気光学素子を含む前記二つの群のうちの一の群について、該一の群に含まれる一の電気光学素子のための前記複数のサブフィールド期間のうち、該一の電気光学素子のための前記階調データに対応するサブフィールド期間を、前記多階調の各階調と該各階調に対応して選択すべきサブフィールド期間の位置との対応関係を規定する第１の規則に従って選択する第１の選択部と、前記少なくとも二つの群のうち前記一の群以外の他の一の群について、該他の一の群に含まれる一の前記電気光学素子のための複数のサブフィールド期間のうち、該一の電気光学素子のための前記階調データに対応するサブフィールド期間を、前記各階調と該階調に対応して選択すべきサブフィールド期間の位置との関係を規定する第２の規則であって、同一階調について前記第１の規則下で選択されるサブフィールド期間の位置と該第２の規則下で選択されるサブフィールド期間の位置との対応関係を、前記光源の輝度が変化する周期に関連して規定する前記第２の規則に従って選択する第２の選択部と、前記第１の選択部により選択された前記サブフィールド期間の間、前記一の群に含まれる前記一の電気光学素子を駆動する第１の駆動部と、前記第２の選択部により選択された前記サブフィールド期間の間、前記他の一の群に含まれる前記一の電気光学素子を駆動する第２の駆動部とを含むことを特徴とする。
【０００６】
本発明に係る電子機器は、上記した電気光学素子の駆動装置を含むことを特徴とする。
【０００７】
【発明の実施の形態】
［第１の実施の形態］
図１は、第１の実施の形態の電気光学装置の構成を示す。該電気光学装置１は、例えば、従来よく知られた半透過反射型の表示装置であり、電気光学装置１の表示単位であるフレーム期間の周期に近似した周期で輝度が変化する、蛍光灯のような外部光源の下で表示を行うべく、図１に示されるように、表示部１００と、発振回路２００と、タイミング信号生成回路３００と、第１の選択部及び第２の選択部として機能するデータ変換回路４００と、走査線駆動回路５００と、第１の駆動部及び第２の駆動部として機能するデータ線駆動回路６００とを含む。
【０００８】
以下の説明では、データ線に信号電圧±Ｖを印加することを"オンに駆動"といい、信号電圧０を印加することを"オフに駆動"という。なお、液晶は交流駆動を必要とすることから、信号電圧＋Ｖの印加と信号電圧−Ｖの印加とは、階調の観点からは実質的に同義である
前記表示部１００には、複数の液晶等の画素１１０がｍ行×ｎ列に配置されており、該複数の画素１１０を選択するための走査線１１２がＸ方向に延在して形成され、他方、前記複数の画素１１０に階調を規定するデータ線１１４がＹ方向に延在して形成されている。
【０００９】
前記電気光学装置１は、前記発振回路２００、前記タイミング信号生成回路３００及び前記データ変換回路４００の制御下で、前記走査線駆動回路５００及び前記データ線駆動回路６００の協働により、前記表示部１００についてサブフィールド駆動方法を実施する。即ち、前記電気光学装置１は、１フレーム期間に、Ｘ方向に沿って並ぶ所定数の画素を同時に選択することをＹ方向に順次行うという線順次を行うと共に、階調を規定するための信号電圧である０又は±Ｖを前記所定数の画素に印加することにより、前記所定数の画素に前記階調を表示させる。
【００１０】
より具体的には、前記電気光学装置１は、一の行に配列された所定数の画素のそれぞれについて、１フレーム期間を構成する複数のサブフィールド期間のうち、該画素の階調データに対応するサブフィールド期間に選択する。選択された前記サブフィールド期間の間、前記画素に前記信号電圧を印加することにより、前記各画素に印加する電圧実効値を変える。これにより、前記各画素に１フレーム期間に、前記階調データにより規定される階調を表示させる。
【００１１】
前記電気光学装置１では、前記複数の画素１１０は二つの群に予め分割されている。前記電気光学装置１は、一方の群に属する画素１１０についての前記サブフィールド駆動と他方の群に属する画素１１０についての前記サブフィールド駆動とを、データ変換回路４００内に設けられた、第１の規則及び第２の規則として機能する真理値表７００に従って制御する。
【００１２】
図２は、画素の分割を示す。上記した複数の分割の例としては、例えば、図２（ａ）に示されるように、データ線ｄ１及びｄ３のような奇数番目のデータ線上の画素１１０からなる第１の群と、データ線ｄ２及びｄ４のような偶数番目のデータ線上の画素１１０からなる第２の群に分割すること、図２（ｂ）に示されるように、走査線Ｇ１及びＧ３のような奇数番目の走査線上の画素１１０と、走査線Ｇ２及びＧ４のような偶数番目の走査線上の画素１１０とに分割すること、図２（ｃ）に示されるように、（Ｇ１、ｄ１）及び（Ｇ２、ｄ２）のような位置にある画素１１０からなる第１の群と、（Ｇ２、ｄ１）及び（Ｇ１、ｄ２）のような位置にある画素１１０からなる第２の群に分割するように走査線またはデータ線の方向に相互に隣接する画素１１０が異なる群に属するように、換言すれば、対角線に沿って隣接する画素同士が同一の群に属するように分割することが挙げられる。
【００１３】
走査線駆動回路５００及びデータ線駆動回路６００は、協働して前記サブフィールド駆動を行うために必要な信号を、発振回路２００、タイミング信号生成回路３００及びデータ変換回路４００から供給される。これらの回路のうち前記データ変換回路４００は、８階調を規定する３ビットの階調データＤ２〜Ｄ０を供給され、該階調データＤ２〜Ｄ０に基づきデータ信号Ｄｓを生成し、該データ信号Ｄｓをデータ線駆動回路６００に出力する。前記階調データＤ２〜Ｄ０から前記データ信号Ｄｓへの変換のために、前記した真理値表７００を有する。ここで、例えば、Ｄ２は、最上位ビットであり、他方、Ｄ０は、最下位ビットである。
【００１４】
図３は、階調と駆動すべきサブフィールド期間との対応関係を示す。図３（ａ）に示される対応関係は、図２に示した第１の群に属する画素１１０についてサブフィールド駆動するために用いられ、図３（ｂ）に示される対応関係は、図２に示した第２の群に属する画素１１０についてサブフィールド駆動するために用いられる。
【００１５】
１フレーム期間（１Ｆ）は、８階調を表示すべく、図３（ａ）、（ｂ）に示されるように、相互に同一の長さ「１」を有する７つのサブフィールド期間Ｓｆ１〜Ｓｆ７から構成されており、各サブフィールド期間Ｓｆ１〜Ｓｆ７の長さは、相互に同一である。例えば、階調「０１０」を表示しようとするときには、２つのサブフィールド期間の間、画素１１０をオンに駆動し、また、階調「１０１」を表示しようとするときには、５つのサブフィールド期間の間、画素１１０をオンに駆動する。
【００１６】
他方で、図３（ａ）、（ｂ）に示される、オンすべきサブフィールド期間の配列は、前記外部光源の輝度が変化する周期の概ね４分の１に相当する時間だけずれている。例えば、表示すべき階調が階調「００１」であることを想定すると、前記データ線駆動回路６００は、前記第１の群の画素１１０については、図３（ａ）の対応関係に従って、サブフィールド期間ｓｆ１に該画素１１０をオンに駆動し、前記第２の群に画素１１０については、サブフィールド期間ｓｆ３に該画素１１０をオンに駆動し、前者のサブフィールド期間ｓｆ１の位置と後者のサブフィールド期間ｓｆ３の位置とは、前記外部光源の輝度が変化する周期の略４分の１だけ相違する。
【００１７】
図４は、図３（ａ）、（ｂ）の対応関係に対応する、データ変換回路に備えられた真理値表を示す。該真理値表７００は、図１の前記階調データＤ２〜Ｄ０が規定する階調に対応する、前記画素１１０をオンに駆動すべきサブフィールド期間を１／０で示す。例えば、階調「０１０」を表示するためには、前記データ線駆動回路６００は、前記第１の群に属する画素１１０については、図４（ａ）の真理値表に従って２つのサブフィールド期間ｓｆ１およびｓｆ２の間、該画素１１０をオンに駆動し、他方、前記第２の群に属する画素１１０については、図４（ｂ）の真理値表に従って２つのサブフィールド期間ｓｆ３およびｓｆ４の間、該画素１１０をオンに駆動する。
【００１８】
図５は、他の画素の分割を示す。図２（ａ）に示した画素の分割に代えて、図５（ａ）に示されるように、それぞれが２本のデータ線ｄ１とｄ２、ｄ３とｄ４、ｄ５とｄ６．．．のような２本毎のデータ線に繋がる画素１１０から構成される第１の群と第２の群に分割すること、また、図２（ａ）に示した画素の分割に代えて、図５（ｂ）に示されるように、それぞれが３本のデータ線ｄ１、ｄ２及びｄ３、データ線ｄ４、ｄ５及びｄ６、．．．のような３本毎のデータ線に繋がる画素１１０から構成される第１の群と第２の群に分割することも可能である。
【００１９】
同様にして、図２（ｂ）、（ｃ）に示した画素の分割に代えて、それぞれが２本または３本毎の走査線に繋がる画素１１０からなる第１の群と第２の群とに分割すること、並びに、それぞれが２本または３本の対角線に繋がる画素１１０からなる第１の群と第２の群とに分割することも可能である。
【００２０】
上記したように、第１の実施の形態の電気光学装置１では、前記複数の画素１１０が該画素１１０の配置位置の観点から予め第１の群及び第２の群に分割されており、また、前記光源の輝度変化の観点から画素１１０の駆動のタイミングが規定された、各群用の真理値表７００が準備されており、前記データ線駆動回路６００は、前記第１の群に属する画素１１０については、前記第１の群用の真理値表に従ってサブフィールド駆動を行い、前記第２の群に属する画素１１０については、前記第２の群用の真理値表に従ってサブフィールド駆動を行う。これにより、同一の階調について、あるフレーム期間内で駆動するサブフィールド期間での前記外部光源の影響で輝度が高く、他方で、他のフレーム期間内で駆動するサブフィールド期間での前記外部光源の影響で輝度が低くなるという事態の発生頻度を抑えることが可能になることから、従来のサブフィールド駆動方法で生じていたフリッカ等の画質の悪化を低減することが可能になる。
【００２１】
［第２の実施の形態］
第２の実施の形態について説明する。第２の実施の形態は、第１の実施の形態と画素の分割及び真理値表を異にし、画素を３つの群に分け、かつ３つの真理値表を用いる。以下、第２の実施の形態の画素の分割及び真理値表について説明する。
【００２２】
図６は、第２の実施の形態の画像の分割を示す。第２の実施の形態では、図１に示した画素１１０は、例えば、図６（ａ）に示されるように、データ線ｄ１及びｄ４のような（３ｍ＋１）番めの（ｍは、０以上の整数）データ線上の画素１１０からなる第１の群、データ線ｄ２及びｄ５のような（３ｍ＋２）番めのデータ線上の画素１１０からなる第２の群、及びデータ線ｄ３のようなｍ番めのデータ線上の画素１１０からなる第３の群に予め分割されている。図６（ａ）に示した分割形態に代えて、図１に示した画素１１０は、例えば、図６（ｂ）に示されるように、走査線Ｇ１及びＧ４のような（３ｎ＋１）番め（ｎは、０以上の整数）の走査線上の画素１１０からなる第１の群、走査線Ｇ２及びＧ５のような（３ｎ＋２）番めの走査線上の画素１１０からなる第２の群、及び走査線Ｇ３のようなｎ番めの走査線上の画素１１０からなる第３の群に予め分割されている。図６（ａ）及び（ｂ）に示した分割形態に代えて、図１に示した画素１１０は、例えば、図６（ｃ）に示されるように、画素（Ｇ１、ｄ１）のような画素１１０からなる第１の群、画素（Ｇ２、ｄ１）及び画素（Ｇ１、ｄ２）のような画素１１０からなる第２の群、及び画素（Ｇ３、ｄ１）、（Ｇ２、ｄ２）、（Ｇ１、ｄ３）のような画素１１０からなる第３の群のような、相互に隣接する画素１１０が異なる群に属するように、言い換えれば、一つの対角線に沿って隣接する画素１１０同士が同一の群に属するように予め分割されている。
【００２３】
図７は、階調と駆動すべきサブフィールド期間との対応関係を示す。図７（ａ）、（ｂ）、（ｃ）では、図２（ａ）、（ｂ）に示した対応関係と同様に、１フレーム期間（１Ｆ）は、８階調を表示すべく、相互に同一な長さを有する７つのサブフィールド期間ｓｆ１〜ｓｆ７から構成されている。
【００２４】
図７（ａ）に示される対応関係は、図６（ａ）、（ｂ）、（ｃ）のそれぞれに示した第１の群に属する画素１１０についてサブフィールド駆動を行うために用いられ、図７（ｂ）に示される対応関係は、図６（ａ）、（ｂ）、（ｃ）のそれぞれに示した第２の群に属する画素１１０についてサブフィールド駆動を行うために用いられ、図７（ｃ）に示される対応関係は、図６（ａ）、（ｂ）、（ｃ）のそれぞれに示した第３の群に属する画素１１０についてサブフィールド駆動を行うために用いられる。
【００２５】
他方、図７（ａ）、（ｂ）、（ｃ）の対応関係間の関係については、例えば、図７（ａ）の対応関係及び図７（ｂ）の対応関係間の関係は、図２（ａ）の対応関係及び図２（ｂ）間の関係と同様に、前記光源の輝度の変化の周期の概ね四分の一だけ相違するように規定されている。図７（ｂ）の対応関係及び図７（ｃ）の対応関係間の関係もまた同様にして、前記光源の輝度の変化の周期の略四分の一だけ相違するように規定されている。
【００２６】
図７（ａ）、（ｂ）、（ｃ）の対応関係の相互関係、即ち、サブフィールド期間の配列が上記のように規定されていることから、例えば、階調「００１」を表示しようとするとき、図１に示したデータ線駆動回路６００は、第１の群に属する画素１１０については、サブフィールド期間ｓｆ１に該画素１１０をオンに駆動し、第２の群に属する画素１１０については、サブフィールド期間ｓｆ３に該画素１１０をオンに駆動し、第３の群に属する画素１１０については、サブフィールド期間ｓｆ５に該画素１１０をオンに駆動する。
【００２７】
なお、各群に属する画素１１０をオンに駆動すべきサブフィールド期間の位置は、第１の実施の形態と同様に、図１に示したデータ変換回路４００に備えられた真理値表であって図７の対応関係に対応する、図４の真理値表７００と同様な真理値表（図示せず）により特定される。
【００２８】
上記したように、第２の実施の形態によれば、図１の複数の画素１１０は、３つの群に予め分割されており、かつ各群に属する画素１１０について前記光源の輝度変化の周期の観点から規定された規則に従ってサブフィールド駆動を行うことから、第１の実施の形態と同様に、従来のサブフィールド駆動方法下で発生していたフリッカ等の画質の悪化を低減することが可能になる。
【００２９】
［第３の実施の形態］
第３の実施の形態について説明する。第３の実施の形態は、第１の実施の形態と同様に、図１に示した画素１１０が予め二つの群に分割されており、他方で、第１の実施の形態で説明した図３のフレーム期間の構成と相違するフレーム期間の構成を有する。即ち、第３の実施の形態は、第１の実施の形態とサブフィールド期間の長さの配分、即ち、重み付けを異にする。以下、第３の実施の形態のサブフィールド期間について説明する。
【００３０】
図８は、階調と駆動すべきサブフィールド期間との対応関係を示す。図８（ａ）、（ｂ）に対応関係では、各フレーム期間（１Ｆ）は、１６階調を表示すべく、”１”の重み付けをされた長さを有する第１のサブフィールド期間ｓｆ１、”２”の重み付けをされた長さを有する第２のサブフィールド期間ｓｆ２、及び”４”の重み付けをされた長さを有する第３のサブフィールド期間ｓｆ３〜ｓｆ５から構成されている。加えて、図８（ａ）の対応関係及び図８（ｂ）の対応関係間の関係は、図３（ａ）の対応関係及び図３（ｂ）の対応関係間の関係と同様に、第１の実施の形態で説明した外部の交流光源の輝度の変化する周期の概ね四分の一に相当する、、”４”の重み付けをされた長さを有する第３のサブフィールド期間の長さだけ相違している。
【００３１】
例えば、階調「０００１」を表示しようとするとき、図１に示したデータ線駆動回路６００は、図２に示した第１の群に属する画素１１０については、図８（ａ）の対応関係に従って、フレーム期間（１Ｆ）の先頭に位置するサブフィールド期間ｓｆ１に該画素１１０をオンに駆動し、図２に示した第２の群に属する画素１１０については、図８（ｂ）の対応関係に従って、フレーム期間（１Ｆ）の先頭から中央の間に位置するサブフィールド期間ｓｆ１に該画素１１０をオンに駆動する。
【００３２】
図８に示した２つの対応関係に代えて、他の対応関係を用いることも可能である。
【００３３】
図９及び図１０は、階調と駆動すべきサブフィールド期間との他の対応関係を示す。図９（ａ）の対応関係は、図２に示した第１の群に属する画素１１０を駆動するために用いられ、図９（ｂ）の対応関係は、図２に示した第２の群に属する画素１１０を駆動するために用いられる。図９（ａ）、（ｂ）に示されるフレーム期間（１Ｆ）は、１６階調を表示すべく、”１”、”２”、”３”、”４”、”５”の重み付けをされた長さを有するサブフィールド期間ｓｆ１〜ｓｆ５から構成されており、しかも、図９（ａ）の対応関係と図９（ｂ）の対応関係とは、図８に示された対応関係間の関係と同様に、前記外部光源の輝度変化の周期の略四分の一に相当する、”３”の重み付けを施された長さを有するサブフィールド期間ｓｆ５だけ相違する。
【００３４】
同様にして、図１０（ａ）の対応関係は、図２に示した第１の群に属する画素１１０を駆動するために用いられ、図１０（ｂ）の対応関係は、図２に示した第２の群に属する画素１１０を駆動するために用いられる。図１０（ａ）、（ｂ）に示されるフレーム期間（１Ｆ）は、１６階調を表示すべく、それぞれが”１”の重み付けをされた長さを有する相互に隣接する第１のサブフィールド期間ｓｆ１〜ｓｆ３と、前記サブフィールド期間ｓｆ３に引き続くサブフィールド期間であって電気光学素子の駆動特性に応じて規定された該電気光学素子に固有のサブフィールド期間ｓｆ４と、前記サブフィールド期間ｓｆ４に後続するサブフィールド期間であって”４”の重み付けをされた長さを有する相互に隣接する第２のサブフィールド期間ｓｆ５〜ｓｆ７とから構成されており、しかも、図１０（ａ）の対応関係と図１０（ｂ）の対応関係とは、図８に示された対応関係間の関係と同様に、前記外部光源の輝度変化の周期の略四分の一に相当する、”４”の重み付けを施された長さを有するサブフィールド期間ｓｆ７だけ相違する。
【００３５】
図１に示したデータ線駆動回路６００は、図８に示した対応関係の代替として、図９又は図１０に示した対応関係に従って特定されるサブフィールド期間に、図２に示した第１の群中の画素１１０及び第２の群中の画素１１０についてサブフィールド駆動を行う。
【００３６】
上記したように、第３の実施の形態では、第１の実施の形態と異なり、図８（ａ）、（ｂ）に示したフレーム期間（１Ｆ）を構成するサブフィールド期間ｓｆ１〜ｓｆ５が重み付けを異にするものの、同図に示した二つの対応関係間の関係が、第１の実施の形態と同様に、前記光源の輝度変化の周期に基づき規定されていることから、第１の実施の形態と同様に、フリッカ等の画質劣化を低減することが可能になる。
【００３７】
［第４の実施の形態］
第４の実施の形態について説明する。第４の実施の形態の電子機器は、第１の実施の形態乃至第３の実施の形態の構成を有する。
【００３８】
図１１は、第４の実施の形態の電子機器の構成を示す。該電子機器１０００は、図１１に示されるように、主に、第１の実施の形態乃至第３の実施の形態で説明した電気光学装置１と、該電子機器１０００全体の動作を制御する制御装置２０００と、該電子機器１０００全体に電力を供給する電源装置３０００から構成されている。代表的な電子機器として、プロジェクタ、モバイル型コンピュータ、及び携帯電話がある。
【００３９】
尚、光源としては室内蛍光灯の様な外部光源を例としたが、他の光源として液晶表示装置のバックライトやフロントライト、液晶プロジェクタの光源等がある。
【００４０】
【発明の効果】
上記したように、本発明に係る電気光学素子の駆動方法によれば、少なくとも二つの群のいずれかに属する画素を、光源の輝度が変化する周期に鑑みて規定された、前記二つの群のための規則に基づき前記画素をオンに駆動すべきサブフィールド期間を決定することから、従来のような、同一諧調について、フレーム期間内で液晶をオンに駆動すべきサブフィールド期間における光源の輝度がフレーム期間毎に異なることに起因して発生していたフリッカ等の画質の劣化を抑制することが可能になる。
【図面の簡単な説明】
【図１】第１の実施の形態の電気光学装置の構成を示す図である。
【図２】第１の実施の形態の画素の分割を示す図である。
【図３】第１の実施の形態の階調と駆動すべきサブフィールド期間との対応関係を示す図である。
【図４】第１の実施の形態の真理値表を示す図である。
【図５】第１の実施の形態の他の画素の分割を示す図である。
【図６】第２の実施の形態の画素の分割を示す図である。
【図７】第２の実施の形態の階調と駆動すべきサブフィールド期間との対応関係を示す図である。
【図８】第３の実施の形態の階調と駆動すべきサブフィールド期間との対応関係を示す図である。
【図９】第３の実施の形態の階調と駆動すべきサブフィールド期間との他の対応関係を示す図である。
【図１０】第３の実施の形態の階調と駆動すべきサブフィールド期間との更に他の対応関係を示す図である。
【図１１】第４の実施の形態の電子機器の構成を示す図である。
【図１】
0003991737.tif 000002
【図２】
0003991737.tif 000003
【図３】
0003991737.tif 000004
【図４】
0003991737.tif 000005
【図５】
0003991737.tif 000006
【図６】
0003991737.tif 000007
【図７】
0003991737.tif 000008
【図８】
0003991737.tif 000009
【図９】
0003991737.tif 000010
【図１０】
0003991737.tif 000011
【図１１】
0003991737.tif 000012